(57)【要約】      （修正有）【課題】家計簿の収支全体でのあまりを投資に回す情報処理装置、情報処理システム、情報処理方法及びプログラムを提供する。【解決手段】サーバと、スマートフォンと、証券サーバとが、インターネットを介して通信可能に接続されている情報処理システムにおいて、さーば１００は、設定部と、投資制御部と、を有する。設定部は、ユーザの設定操作に基づき、家計簿の変動科目において所定の期間における予算を設定する。設定部によって設定された所定の期間における予算に対して余りが生じ、余りが所定の期間における収支全体の余り以下の場合、投資制御部は、設定部によって設定された所定の期間における予算に対する余りを投資に回すよう制御する。【選択図】図４
2022002016.tif 000002
【特許請求の範囲】
【請求項１】
情報処理装置であって、
設定部と、投資制御部と、を有し、
前記設定部は、ユーザの設定操作に基づき、家計簿の変動科目において所定の期間における予算を設定し、
前記設定部によって設定された前記所定の期間における予算に対して余りが生じ、前記余りが前記所定の期間における収支全体の余り以下の場合、前記投資制御部は、前記設定部によって設定された前記所定の期間における予算に対する余りを投資に回すよう制御する、
情報処理装置。
【請求項２】
請求項１に記載の情報処理装置において、
前記設定部によって設定された前記所定の期間における予算に対して余りが生じ、前記余りが前記所定の期間における収支全体の余りより多い場合、前記投資制御部は、前記設定部によって設定された前記所定の期間における予算に対する余りの全額を投資に回さないよう制御する、
情報処理装置。
【請求項３】
請求項１又は請求項２に記載の情報処理装置において、
前記設定部は、ユーザの設定操作に基づき、前記家計簿の第１の変動科目において前記所定の期間における第１の予算を設定し、前記家計簿の第２の変動科目において前記所定の期間における第２の予算を設定し、
前記第１の予算に対して第１の余りが生じ、前記第２の予算に対して第２の余りが生じ、前記第１の余りと前記第２の余りとの和が前記所定の期間における収支全体の余り以下の場合、前記投資制御部は、前記第１の余りと前記第２の余りとの和を投資に回すよう制御する、
情報処理装置。
【請求項４】
請求項３に記載の情報処理装置において、
前記第１の余りと前記第２の余りとの和が前記所定の期間における収支全体の余りより多い場合、前記投資制御部は、前記第１の余りが前記収支全体の余り以下で、かつ、前記第２の余りが前記収支全体の余り以下の場合、前記第１の余り及び前記第２の余りのうち、余りの額が多い方を投資に回すよう制御する、
情報処理装置。
【請求項５】
請求項１又は請求項２に記載の情報処理装置において、
前記設定部は、ユーザの設定操作に基づき、家計簿の複数の変動科目において所定の期間におけるそれぞれの予算を設定し、
前記投資制御部は、前記設定部によって設定された前記所定の期間におけるそれぞれの予算に対して余りが生じ、それぞれの余りの総和が前記所定の期間における収支全体の余りより多い場合、前記収支全体の余りを超えない範囲で最大となるそれぞれの余りの和の組み合わせを選択し、選択した組み合わせの余りの和を投資に回すよう制御する、
情報処理装置。
【請求項６】
請求項１から請求項５までの何れか１項に記載の情報処理装置において、
表示制御部を有し、
前記表示制御部は、前記家計簿の変動科目における所定の期間における予算の設定に関する画面を表示するよう制御し、
前記設定部は、前記画面を介したユーザの設定操作に基づき、前記家計簿の変動科目において所定の期間における予算を設定する、
情報処理装置。
【請求項７】
情報処理システムであって、
設定部と、投資制御部と、を有し、
前記設定部は、ユーザの設定操作に基づき家計簿の変動科目において所定の期間における予算を設定し、
前記投資制御部は、前記設定部によって設定された前記所定の期間における予算に対して余りが生じ、前記余りが前記所定の期間における収支全体の余り以下の場合、前記設定部によって設定された前記所定の期間における予算に対する余りを投資に回すよう制御する、
情報処理システム。
【請求項８】
情報処理方法であって、
設定工程と、投資制御工程と、を含み、
前記設定工程では、ユーザの設定操作に基づき家計簿の変動科目において所定の期間における予算を設定し、
前記投資制御工程では、前記設定工程によって設定された前記所定の期間における予算に対して余りが生じ、前記余りが前記所定の期間における収支全体の余り以下の場合、前記設定工程によって設定された前記所定の期間における予算に対する余りを投資に回すよう制御する、
情報処理方法。
【請求項９】
プログラムであって、コンピュータを、請求項１から請求項６までの何れか１項に記載の情報処理装置の各部として機能させるためのプログラム。
【発明の詳細な説明】
【技術分野】
【０００１】
本発明は、情報処理装置、情報処理システム、情報処理方法及びプログラムに関する。
【背景技術】
【０００２】
家計簿の科目の内訳の一つに投資が含まれることがある（特許文献１参照）。
【先行技術文献】
【特許文献】
【０００３】
【特許文献１】特開２０１９−７４９７９号公報
【発明の概要】
【発明が解決しようとする課題】
【０００４】
毎月一定額を投資に回すと予定を立てていたとしても、他の科目において急な出費があった場合、予定通りのお金を投資に回すと全体の収支のバランスが崩れることがあった。
【課題を解決するための手段】
【０００５】
本発明の一態様によれば、情報処理装置であって、設定部と、投資制御部と、を有し、前記設定部は、ユーザの設定操作に基づき、家計簿の変動科目において所定の期間における予算を設定し、前記設定部によって設定された前記所定の期間における予算に対して余りが生じ、前記余りが前記所定の期間における収支全体の余り以下の場合、前記投資制御部は、前記設定部によって設定された前記所定の期間における予算に対する余りを投資に回すよう制御する、情報処理装置が提供される。
【図面の簡単な説明】
【０００６】
【図１】図１は、情報処理システムのシステム構成の一例を示す図である。
【図２】図２は、サーバのハードウェア構成の一例を示す図である。
【図３】図３は、スマートフォンのハードウェア構成の一例を示す図である。
【図４】図４は、サーバの機能構成の一例を示す図である。
【図５】図５は、サーバが実行する情報処理の一例を示すアクティビティ図である。
【図６】図６は、設定部の処理を説明するための図である。
【図７】図７は、変動科目から複数の科目を選択する例を示す図である。
【図８】図８は、複数の変動科目において予算が設定されており、余りが生じた例を示す図である。
【図９】図９は、変形例２のサーバの機能構成の一例を示す図である。
【図１０】図１０は、予算を設定する画面の一例を示す図である。
【発明を実施するための形態】
【０００７】
以下、図面を用いて本発明の実施形態について説明する。以下に示す実施形態中で示した各種特徴事項は、互いに組み合わせ可能である。
【０００８】
ところで、本実施形態に登場するソフトウェアを実現するためのプログラムは、コンピュータが読み取り可能な非一時的な記録媒体として提供されてもよいし、外部のサーバからダウンロード可能に提供されてもよいし、外部のコンピュータで当該プログラムを起動させてクライアント端末でその機能を実現（いわゆるクラウドコンピューティング）するように提供されてもよい。
【０００９】
また、本実施形態において「部」とは、例えば、広義の回路によって実施されるハードウェア資源と、これらのハードウェア資源によって具体的に実現されうるソフトウェアの情報処理とを合わせたものも含みうる。また、本実施形態においては様々な情報を取り扱うが、これら情報は、例えば電圧・電流を表す信号値の物理的な値、０又は１で構成される２進数のビット集合体としての信号値の高低、又は量子的な重ね合わせ（いわゆる量子ビット）によって表され、広義の回路上で通信・演算が実行されうる。
【００１０】
また、広義の回路とは、回路（Ｃｉｒｃｕｉｔ）、回路類（Ｃｉｒｃｕｉｔｒｙ）、プロセッサ（Ｐｒｏｃｅｓｓｏｒ）、及びメモリ（Ｍｅｍｏｒｙ）等を少なくとも適当に組み合わせることによって実現される回路である。すなわち、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等を含むものである。
【００１１】
＜実施形態１＞
１．システム構成
図１は、情報処理システム１０００のシステム構成の一例を示す図である。情報処理システム１０００は、システム構成として、サーバ１００と、スマートフォン１１０と、証券サーバ１２０と、を含む。サーバ１００は、本実施形態の処理を実行する。スマートフォン１１０は、本実施形態の家計簿をつけるユーザが操作する端末である。ユーザが操作する端末は、スマートフォンに限らず、ＰＣ（Ｐｅｒｓｏｎａｌ  Ｃｏｍｐｕｔｅｒ）であってもよいし、タブレット型コンピュータであってもよい。証券サーバ１２０は、有価証券の売買の取次を行うサーバである。サーバ１００と、スマートフォン１１０と、証券サーバ１２０とは、インターネット１５０を介して通信可能に接続されている。サーバ１００は、情報処理装置の一例である。
【００１２】
２．ハードウェア構成
（サーバ１００のハードウェア構成）
図２は、サーバ１００のハードウェア構成の一例を示す図である。サーバ１００は、ハードウェア構成として、制御部２０１と、記憶部２０２と、通信部２０３と、を含む。制御部２０１は、サーバ１００の全体を制御する。記憶部２０２は、プログラム及び制御部２０１が記憶部２０２に記憶されたプログラムに基づき処理を実行する際に用いるデータ等を記憶する。制御部２０１が、記憶部２０２に記憶されたプログラムに基づき処理を実行することによって、後述する図４、図９に示す機能構成及び後述する図５に示すアクティビティ図の情報処理等が実現される。通信部２０３は、サーバ１００をインターネット１５０に接続し、他の装置との通信を司る。
【００１３】
（スマートフォン１１０のハードウェア構成）
図３は、スマートフォン１１０のハードウェア構成の一例を示す図である。スマートフォン１１０は、ハードウェア構成として、制御部３０１と、記憶部３０２と、入力表示部３０３と、通信部３０４と、を含む。制御部３０１は、スマートフォン１１０の全体を制御する。記憶部３０２は、プログラム及び制御部３０１がプログラムに基づき処理を実行する際に用いるデータ等を記憶する。制御部３０１が記憶部３０２に記憶されたプログラムに基づき処理を実行することによって、スマートフォン１１０の機能が実現される。入力表示部３０３は、制御部３０１の処理結果等を表示したり、ユーザの操作情報を制御部３０１に入力したりする。通信部３０４は、スマートフォン１１０をインターネット１５０に接続し、他の装置との通信を司る。
【００１４】
３．機能構成
図４は、サーバ１００の機能構成の一例を示す図である。サーバ１００は、機能構成として、設定部４０１と、投資制御部４０２と、を含む。
設定部４０１は、ユーザの設定操作に基づき、家計簿の変動科目において所定の期間における予算を設定する。ここで、所定の期間の一例としては、例えば、１ヶ月である。但し、このことは実施形態を制限するものでなく、所定の期間は、ユーザが任意に設定することができる。
設定部４０１によって設定された所定の期間における予算に対して余りが生じ、その余りが所定の期間における収支全体の余り以下の場合、投資制御部４０２は、設定部４０１によって設定された所定の期間における予算に対する余りを投資に回すよう制御する。
サーバ１００が、設定部４０１と、投資制御部４０２と、を有することによって、家計簿の変動科目において予算を設定し、余りが生じ、かつ、その余りが収支全体の余り以下の場合、余りを投資に回すことができる。したがって、全体の収支のバランスにおいて、過剰投資となることを防止することができる。
【００１５】
４．情報処理
図５は、サーバ１００が実行する情報処理の一例を示すアクティビティ図である。図５に示す情報処理は、所定間隔ごとに実行される。
Ａ５００において、サーバ１００は、スマートフォン１１０におけるユーザの操作を待つ。ユーザが操作を行うと、サーバ１００は、処理をＡ５０１に進める。
Ａ５０１において、サーバ１００は、スマートフォン１１０におけるユーザの操作が所定の操作か否かを判定する。サーバ１００は、スマートフォン１１０におけるユーザの操作が所定の操作であると判定すると、処理をＡ５０２に進める。サーバ１００は、スマートフォン１１０におけるユーザの操作が所定の操作でないと判定すると、Ａ５００の処理に戻る。所定の操作とは、例えば、家計簿の科目において、変動科目を選択し、所定の期間における予算を設定する操作である。
【００１６】
Ａ５０２において、設定部４０１は、ユーザの所定の操作に基づいて、家計簿の、選択された変動科目における所定の期間の予算を設定する。例えば、変動科目として、「食費」が選択され、所定の期間における予算として、「２００００円」が選択された場合、設定部４０１は、変動科目「食費」、所定の期間の予算「２００００円」を設定する。図６は、設定部４０１の処理を説明するための図である。
【００１７】
Ａ５０３において、投資制御部４０２は、所定の期間が経過したか否かを判定する。投資制御部４０２は、所定の期間が経過したと判定した場合、Ａ５０４に処理を進める。投資制御部４０２は、所定の期間経過していないと判定した場合、Ａ５０３の処理を繰り返す。
【００１８】
Ａ５０４において、投資制御部４０２は、設定部４０１によって設定された所定の期間における予算に対して余りが生じたか否かを判定する。投資制御部４０２は、余りが生じなかった場合は、投資を行わないよう制御する。また、投資制御部４０２は、余りが生じた場合であっても、その余りが所定の期間における収支全体の余りより多い場合、余りの全額を投資しないよう制御する。投資制御部４０２は、余りが生じ、その余りが所定の期間における収支全体の余り以下の場合、設定部４０１によって設定された所定の期間における予算に対する余りを投資に回すよう制御する。より具体的には、投資制御部４０２は、余りを証券サーバ１２０に入金し、指定された投資を行うよう指示する。
【００１９】
本実施形態によれば、過剰投資にならないようバランスを取りながら無理なく家計から投資に回すお金を捻出することができる。また、投資に回すお金を生活スタイルの工夫等によって捻出することができる。
【００２０】
＜変形例１＞
変形例１を説明する。変形例１では、家計簿の複数の変動項目において予算が設定された場合を例に説明を行う。変形例１の設定部４０１は、ユーザの設定操作に基づき、家計簿の複数の変動科目において所定の期間におけるそれぞれの投資の予算を設定する。図７は、変動科目から複数の科目を選択する例を示す図である。変動科目はスマートフォン１１０を介してユーザが自由に設定することができる。変形例１において、ユーザは、変動科目において、予算を設定する科目として「衣服・美容」と「食費」が選択されたものとして説明する。「衣服・美容」は、家計簿の第１の変動科目の一例である。「食費」は、家計簿の第２の変動科目の一例である。
【００２１】
図８は、複数の変動科目において予算が設定されており、余りが生じた例を示す図である。設定部４０１は、ユーザの設定操作に基づき、家計簿の「衣服・美容」において所定の期間における第１の投資の予算（図８の例では２００００円）を設定する。３月には余りＡが発生している。余りＡは、第１の余りの一例である。また、設定部４０１は、ユーザの設定操作に基づき、家計簿の「食費」において所定の期間における第２の投資の予算（図８の例では４００００円）を設定する。３月には余りＢが発生している。余りＢは、第２の余りの一例である。
【００２２】
変形例１の投資制御部４０２は、第１の投資の予算（２００００円）に対して余りが生じたか否かを判定する。また、投資制御部４０２は、第２の投資の予算（４００００円）に対して余りが生じたか否かを判定する。第１の投資の予算に対して余り（余りＡ）が生じ、第２の投資の予算に対しても余り（余りＢ）が生じた場合、投資制御部４０２は、余りＡと余りＢとの和を求める。そして、投資制御部４０２は、余りＡと余りＢとの和が所定の期間における収支全体の余り以下であるか否かを判定する。投資制御部４０２は、余りＡと余りＢとの和が所定の期間における収支全体の余り以下である場合、余りＡと余りＢとの和を投資に回すよう制御する。余りＡを２０００円、余りＢを５０００円、所定の期間における収支全体の余りを１００００円とすると、余りＡと余りＢの和は７０００円となり、所定の期間における収支全体の余り１００００円以下となる。この場合、設定部４０１は、７０００円を投資に回すよう制御する。
【００２３】
第１の余り（例えば、２０００円）と第２の余り（５０００円）との和（７０００円）が所定の期間における収支全体の余り（例えば、６０００円）より多い場合、投資制御部４０２は、第１の余り（２０００円）と収支全体の余り（６０００円）とを比較するとともに、第２の余り（５０００円）と収支全体の余り（６０００円）とを比較する。そして、第１の余り（２０００円）が収支全体の余り（６０００円）以下で、かつ、第２の余り（５０００円）が収支全体の余り（６０００円）以下の場合、投資制御部４０２は、第１の余り（２０００円）及び第２の余り（５０００円）のうち、余りの額が多い方（この例では、第２の余り（５０００円））を投資に回すよう制御する。
このように制御することによって、変動科目の余りの和が修正全体の余りより多い場合であっても、設定された複数の変動科目の余りのうち、余りの多い方を投資に回すことができ、過剰投資にならないようバランスを取りながら無理なく家計から投資に回すお金を捻出することができる。
【００２４】
図７、図８では、選択された家計簿の複数の変動科目の例として２つを例に説明を行ったが、ユーザは、３つ以上の変動科目を選択し、投資の予算を設定してもよい。投資制御部４０２は、設定部４０１によって設定された所定の期間におけるそれぞれの予算に対して余りが生じ、それぞれの余りの総和が所定の期間における収支全体の余りより多いか否かを判定する。それぞれの余りの総和が所定の期間における収支全体の余りより多い場合、投資制御部４０２は、収支全体の余りを超えない範囲で最大となるそれぞれの余りの和の組み合わせを選択し、選択した組み合わせの余りの和を投資に回すよう制御する。
例えば、第１の余りが２０００円、第２の余りが５０００円、第３の余りが４０００円、収支全体の余りが１００００円の場合、投資制御部４０２は、それぞれの予算に対して余りが生じ、その余りの総和が所定の期間の収支全体の余りより多いと判定する。この場合、投資制御部４０２は、それぞれの余りの組み合わせとして、第１の余り（２０００円）と第２の余り（５０００円）の和７０００円、第２の余り（５０００円）と第３の余り（４０００円）の和９０００円、第１の余り（２０００円）と第３の余り（４０００円）の和６０００円、を求める。そして、投資制御部４０２は、収支全体の余りである１００００円を超えない範囲で最大となる第２の余り（５０００円）と第３の余り（４０００円）の和９０００円を投資に回すよう制御する。
【００２５】
＜変形例２＞
変形例２を説明する。図９は、変形例２のサーバ１００の機能構成の一例を示す図である。サーバ１００は、機能構成として、設定部４０１と、投資制御部４０２と、表示制御部９０１と、を含む。表示制御部９０１は、家計簿の変動科目における所定の期間における予算を設定する画面をスマートフォン１１０の入力表示部３０３に表示するよう制御する。図１０は、予算を設定する画面の一例を示す図である。不図示の画面において、家計簿の変動科目を選択し、選択した変動科目から予算を設定する変動科目を選択すると、図１０に示される画面がスマートフォン１１０の入力表示部３０３に表示される。図１０に示す画面は、予算の設定に関する画面の一例である。設定部４０１は、表示制御部９０１によって表示された画面を介したユーザの設定操作に基づき、家計簿の変動科目において所定の期間における投資の予算を設定する。なお、図１０に示されるように、表示制御部９０１は、予算を設定する画面において、先月の利用額を表示することができる。したがって、ユーザは先月の利用額を参考にして無理のない範囲で投資に回す予算の目標金額を設定することができる。
変形例２によれば、ＵＩ（Ｕｓｅｒ  Ｉｎｔｅｒｆａｃｅ）を介して家計簿の複数の変動科目を選択し、予算の目標金額を設定することができる。
他の例として、表示制御部９０１は、家計簿の変動科目において予算を設定する科目を選択させる画面をスマートフォン１１０の入力表示部３０３に表示するようにしてもよい。この画面は、例えば、図７に示したような画面である。ユーザは、入力表示部３０３を操作して、家計簿の変動科目において予算を設定することができる。また、表示制御部９０１は、家計簿の科目においてどの科目を変動科目にするかを選択する画面をスマートフォン１１０の入力表示部３０３に表示するようにしてもよい。
なお、変形例２では、表示制御部９０１が画面を生成し、スマートフォン１１０の入力表示部３０３に表示するよう説明を行った。しかし、表示制御部９０１が画面を生成するためのデータをスマートフォン１１０に送信し、スマートフォン１１０が受信したデータに基づき画面を生成する場合も表示制御部９０１による表示制御に含まれる。
【００２６】
＜変形例３＞
変形例３を説明する。上述した実施形態等では、サーバ１００の制御部２０１が処理を行うものとして説明した。しかし、複数のサーバから構成されるいわゆるクラウドシステム等が、サーバ１００の機能の一部、又はすべてを提供してもよい。このような構成の場合、クラウドシステムは、情報処理システムの一例である。
【００２７】
＜付記＞
次に記載の各態様で提供されてもよい。
前記情報処理装置において、前記設定部によって設定された前記所定の期間における予算に対して余りが生じ、前記余りが前記所定の期間における収支全体の余りより多い場合、前記投資制御部は、前記設定部によって設定された前記所定の期間における予算に対する余りの全額を投資に回さないよう制御する、情報処理装置。
前記情報処理装置において、前記設定部は、ユーザの設定操作に基づき、前記家計簿の第１の変動科目において前記所定の期間における第１の予算を設定し、前記家計簿の第２の変動科目において前記所定の期間における第２の予算を設定し、前記第１の予算に対して第１の余りが生じ、前記第２の予算に対して第２の余りが生じ、前記第１の余りと前記第２の余りとの和が前記所定の期間における収支全体の余り以下の場合、前記投資制御部は、前記第１の余りと前記第２の余りとの和を投資に回すよう制御する、情報処理装置。
前記情報処理装置において、前記第１の余りと前記第２の余りとの和が前記所定の期間における収支全体の余りより多い場合、前記投資制御部は、前記第１の余りが前記収支全体の余り以下で、かつ、前記第２の余りが前記収支全体の余り以下の場合、前記第１の余り及び前記第２の余りのうち、余りの額が多い方を投資に回すよう制御する、情報処理装置。
前記情報処理装置において、前記設定部は、ユーザの設定操作に基づき、家計簿の複数の変動科目において所定の期間におけるそれぞれの予算を設定し、前記投資制御部は、前記設定部によって設定された前記所定の期間におけるそれぞれの予算に対して余りが生じ、それぞれの余りの総和が前記所定の期間における収支全体の余りより多い場合、前記収支全体の余りを超えない範囲で最大となるそれぞれの余りの和の組み合わせを選択し、選択した組み合わせの余りの和を投資に回すよう制御する、情報処理装置。
前記情報処理装置において、表示制御部を有し、前記表示制御部は、前記家計簿の変動科目における所定の期間における予算の設定に関する画面を表示するよう制御し、前記設定部は、前記画面を介したユーザの設定操作に基づき、前記家計簿の変動科目において所定の期間における予算を設定する、情報処理装置。
情報処理システムであって、設定部と、投資制御部と、を有し、前記設定部は、ユーザの設定操作に基づき家計簿の変動科目において所定の期間における予算を設定し、前記投資制御部は、前記設定部によって設定された前記所定の期間における予算に対して余りが生じ、前記余りが前記所定の期間における収支全体の余り以下の場合、前記設定部によって設定された前記所定の期間における予算に対する余りを投資に回すよう制御する、情報処理システム。
情報処理方法であって、設定工程と、投資制御工程と、を含み、前記設定工程では、ユーザの設定操作に基づき家計簿の変動科目において所定の期間における予算を設定し、前記投資制御工程では、前記設定工程によって設定された前記所定の期間における予算に対して余りが生じ、前記余りが前記所定の期間における収支全体の余り以下の場合、前記設定工程によって設定された前記所定の期間における予算に対する余りを投資に回すよう制御する、情報処理方法。
プログラムであって、コンピュータを、前記情報処理装置の各部として機能させるためのプログラム。
もちろん、この限りではない。
【００２８】
例えば、上述のプログラムを記憶する、コンピュータ読み取り可能な非一時的な記憶媒体として提供してもよい。
また、上述した実施形態及び変形例を任意に組み合わせて実施するようにしてもよい。
また、上述した実施形態等ではサーバ１００が処理を行うものとして説明を行ったが、サーバ１００の機能をスマートフォン１１０が含むようにしてもよい。この場合、スマートフォン１１０は、情報処理装置の一例となる。
【００２９】
最後に、本発明に係る種々の実施形態を説明したが、これらは、例として提示したものであり、発明の範囲を限定することは意図していない。新規な実施形態は、その他の様々な形態で実施されることが可能であり、発明の要旨を逸脱しない範囲で、種々の省略、置き換え、変更を行うことができる。実施形態及びその変形は、発明の範囲及び要旨に含まれると共に、特許請求の範囲に記載された発明とその均等の範囲に含まれるものである。
【符号の説明】
【００３０】
１００    ：サーバ
１１０    ：スマートフォン
１２０    ：証券サーバ
１５０    ：インターネット
２０１    ：制御部
２０２    ：記憶部
２０３    ：通信部
３０１    ：制御部
３０２    ：記憶部
３０３    ：入力表示部
３０４    ：通信部
４０１    ：設定部
４０２    ：投資制御部
９０１    ：表示制御部
１０００  ：情報処理システム
【図１】
2022002016.tif 000003
【図２】
2022002016.tif 000004
【図３】
2022002016.tif 000005
【図４】
2022002016.tif 000006
【図５】
2022002016.tif 000007
【図６】
2022002016.tif 000008
【図７】
2022002016.tif 000009
【図８】
2022002016.tif 000010
【図９】
2022002016.tif 000011
【図１０】
2022002016.tif 000012